【手続補正書】
【提出日】平成17年2月21日(2005.2.21)
【手続補正１】
【補正対象書類名】明細書
【補正対象項目名】特許請求の範囲
【補正方法】変更
【補正の内容】
【特許請求の範囲】
【請求項１】
少なくとも１つの操作レバーを備えた機器において、上記操作レバーは、手動操作により傾動と別の１種類以上の動きとを行い得るように設けられており、この操作レバーの傾動操作によって入力可能な第１のスイッチ部と、操作レバーの別の動き操作によって入力可能な第１以外のスイッチ部とを備えたことを特徴とするレバー操作装置。
【請求項２】
上記操作レバーは、垂直状態から３６０度いずれの方向にも傾動可能に支持されており、上記第１のスイッチ部は、この操作レバーのいずれの方向の傾動操作によっても入力可能に設けられている請求項１記載のレバー操作装置。
【請求項３】
上記第１のスイッチ部及び第１以外のスイッチ部は、操作レバーの２種類以上の動きを検知するセンサを兼用する構成になっている請求項２記載のレバー操作装置。
【請求項４】
上記操作レバーは、傾動と別の動きとして少なくとも軸方向に押し下げ操作可能に設けられており、
上記第１のスイッチ部及び第１以外のスイッチ部は、操作レバーの基端側に装着された円形状の当接板と、操作レバーの基端側周囲に操作レバーの傾動操作時又は押し下げ操作時に上記当接板と接触可能にかつ円周方向に等間隔に配置された複数の感圧センサと、これらの感圧センサと信号授受可能に接続されたスイッチ回路とからなり、スイッチ回路は、上記複数の感圧センサの一部から信号が入力されたとき操作レバーの傾動操作を、上記複数の感圧センサの全部又は半数以上から信号が入力されたとき操作レバーの押し下げ操作をそれぞれ判別するように設けられている請求項３記載のレバー操作装置。
【請求項５】
上記操作レバーは、垂直状態から３６０度いずれの方向にも傾動可能に支持されたレバー本体と、このレバー本体の軸心に形成した貫通孔内に挿通された軸心体と、レバー本体の先端側で軸心体の一端に連結された握り部とを有し、傾動と別の動きとして握り部を軸方向に押し下げ又は引き出し操作可能に設けられている請求項３記載のレバー操作装置。
【請求項６】
上記レバー本体の基端部は円錐台形状に形成されており、このレバー本体の軸心には基端部の端面より凹んだ凹部が形成され、この凹部内には被検知板が摺動可能に配置され、この被検知板には上記軸心体の他端が連結されていて、上記握り部の押し下げ操作時に被検知板が凹部内の底部側から開口部側に摺動するようになっており、
上記第１のスイッチ部及び第１以外のスイッチ部は、上記被検知板の表面及びレバー本体の基端部の端面に形成された反射部と、上記被検知板に対向して設けられた反射式センサ又は近接センサと、このセンサに接続されたスイッチ回路とからなり、スイッチ回路は、操作レバーの傾動操作時における反射部のセンサ検出範囲内への入り方と操作レバーの押し下げ操作時における反射部のセンサ検出範囲内への入り方との差異に基づいて両者を判別するように設けられている請求項５記載のレバー操作装置。
【請求項７】
上記軸心体の長さは、レバー本体のそれよりも長く設定され、この軸心体の他端は被検知体に連結されており、上記握り部は、レバー本体の先端に当接した状態からこの被検知体がレバー本体の基端に当接するまで引き出し操作可能に設けられており、
上記第１のスイッチ部及び第１以外のスイッチ部は、上記被検知体と、この被検知体に対向して設けられた反射式センサ又は近接センサと、このセンサに接続されたスイッチ回路とからなり、スイッチ回路は、操作レバーの傾動操作時における被検知体のセンサ検出範囲外への出方と操作レバーの引き出し操作時における被検知体のセンサ検出範囲外への出方との差異に基づいて両者を判別するように設けられている請求項５記載のレバー操作装置。
【請求項８】
上記操作レバーは、その基端部の外周を囲む円筒状のピエゾフィルムセンサ及び弾性カバー体の弾性範囲内で少なくとも垂直状態から３６０°いずれの方向にも傾動可能でかつ軸回りに回動可能に設けられており、
上記第１のスイッチ部及び第１以外のスイッチ部は、上記ピエゾフィルムセンサと、操作レバーの回動操作時におけるピエゾフィルムセンサの歪みと回動操作時におけるピエゾフィルムセンサの歪みとの差異を検出する手段とを有してなる請求項３記載のレバー操作装置。
【手続補正２】
【補正対象書類名】明細書
【補正対象項目名】００１０
【補正方法】変更
【補正の内容】
【００１０】
請求項３に係る発明は、上記第１のスイッチ部及び第１以外のスイッチ部において、操作レバーの２種類以上の動きを検知するセンサを兼用する構成にする。この構成では、部品点数が少なくなり、コストが安価になるとともに、操作レバー周りの部品レイアウトの自由度が高くなる。ここで、センサを兼用する具体的な構成を以下に列挙する。すなわち、
（１）上記操作レバーを、傾動と別の動きとして少なくとも軸方向に押し下げ操作可能に設ける一方、上記第１のスイッチ部及び第１以外のスイッチ部を、操作レバーの基端側に装着された円形状の当接板と、操作レバーの基端側周囲に操作レバーの傾動操作時又は押し下げ操作時に上記当接板と接触可能にかつ円周方向に等間隔に配置された複数の感圧センサと、これらの感圧センサと信号授受可能に接続されたスイッチ回路とによって構成し、スイッチ回路を、上記複数の感圧センサの一部から信号が入力されたとき操作レバーの傾動操作を、上記複数の感圧センサの全部又は半数以上から信号が入力されたとき操作レバーの押し下げ操作をそれぞれ判別するように設ける。
（２）上記操作レバーを、垂直状態から３６０度いずれの方向にも傾動可能に支持されたレバー本体と、このレバー本体の軸心に形成した貫通孔内に挿通された軸心体と、レバー本体の先端側で軸心体の一端に連結された握り部とを有し、傾動と別の動きとして握り部を軸方向に押し下げ又は引き出し操作可能に設ける。また、上記レバー本体の基端部を円錐台形状に形成し、このレバー本体の軸心に基端部の端面より凹んだ凹部を形成し、この凹部内に被検知板を摺動可能に配置し、この被検知板に上記軸心体の他端を連結して、上記握り部の押し下げ操作時に被検知板が凹部内の底部側から開口部側に摺動するように構成する。一方、上記第１のスイッチ部及び第１以外のスイッチ部を、上記被検知板の表面及びレバー本体の基端部の端面に形成された反射部と、上記被検知板に対向して設けられた反射式センサ又は近接センサと、このセンサに接続されたスイッチ回路とによって構成し、スイッチ回路を、操作レバーの傾動操作時における反射部のセンサ検出範囲内への入り方と操作レバーの押し下げ操作時における反射部のセンサ検出範囲内への入り方との差異に基づいて両者を判別するように設ける。
（３）上記操作レバーを、垂直状態から３６０度いずれの方向にも傾動可能に支持されたレバー本体と、このレバー本体の軸心に形成した貫通孔内に挿通された軸心体と、レバー本体の先端側で軸心体の一端に連結された握り部とを有し、傾動と別の動きとして握り部を軸方向に押し下げ又は引き出し操作可能に設ける。また、上記軸心体の長さを、レバー本体のそれよりも長く設定し、この軸心体の他端を被検知体に連結して、上記握り部を、レバー本体の先端に当接した状態からこの被検知体がレバー本体の基端に当接するまで引き出し操作可能に設ける。一方、上記第１のスイッチ部及び第１以外のスイッチ部を、上記被検知体と、この被検知体に対向して設けられた反射式センサ又は近接センサと、このセンサに接続されたスイッチ回路とによって構成し、スイッチ回路を、操作レバーの傾動操作時における被検知体のセンサ検出範囲外への出方と操作レバーの引き出し操作時における被検知体のセンサ検出範囲外への出方との差異に基づいて両者を判別するように設ける。
（４）上記操作レバーを、その基端部の外周を囲む円筒状のピエゾフィルムセンサ及び弾性カバー体の弾性範囲内で少なくとも垂直状態から３６０°いずれの方向にも傾動可能でかつ軸回りに回動可能に設ける一方、上記第１のスイッチ部及び第１以外のスイッチ部を、上記ピエゾフィルムセンサと、操作レバーの回動操作時におけるピエゾフィルムセンサの歪みと回動操作時におけるピエゾフィルムセンサの歪みとの差異を検出する手段とを有する構成にする。
【手続補正３】
【補正対象書類名】明細書
【補正対象項目名】００３５
【補正方法】変更
【補正の内容】
【００３５】
上記レバー本体８４の軸心には、基端側（下端側）の端面より凹んだ凹部８６と、この凹部８６の底面から先端に亘って貫通する貫通孔８７とが形成されている。一方、上記握り部８５にはこの貫通孔８７内を貫通する軸心体８９の一端が接着若しくはねじ込みで一体的に連結され、この軸心体８９の長さはレバー本体８４のそれよりも長く設定されているとともに、軸心体８９の他端は被検知体９０に連結されており、この被検知体９０の軸心体８９側端面と凹部８６の底面との間には軸心体８９を中心としてコイルバネ９１が配置されている。しかして、図１４に示すように、手動操作により握り部８５がレバー本体８４の軸方向にレバー本体８４から離れるように引き出されたときにはコイルバネ９１を圧縮しつつ軸心体８９が貫通孔８７内を摺動し、被検知体９０がレバー本体８４の基端に当接するまでその動きを許容し、かつ手を離すと上記コイルバネ９１により元の状態に戻るようになっている。